(57)【特許請求の範囲】
【請求項１】
ユーザのＣＭ番組出力装置と通信ネットワークにより接続されたサーバであって、
前記ユーザの嗜好ジャンル毎の興味度を示す嗜好情報を含むユーザ情報を格納するユーザ情報記憶手段と、
ＣＭ番組データに対して、該ＣＭ番組データを視聴するべきユーザを特定するための嗜好ジャンル情報を付与する付与手段と、
前記嗜好ジャンル情報を付与された複数のＣＭ番組データを格納するＣＭ番組情報記憶手段と、
前記ユーザ情報記憶手段に格納された前記嗜好ジャンル毎の興味度のうち、前記興味度が高い嗜好ジャンル情報が付与されたＣＭ番組データを前記ＣＭ番組情報記憶手段から選択して読み出す選択手段と、
前記読み出されたＣＭ番組データを前記ＣＭ番組出力装置に送信する送信手段と、
前記ＣＭ番組出力装置から送信される前記ＣＭ番組データの視聴状況情報を受信する受信手段と、
前記受信手段が受信した視聴状況情報に基づいて、前記ユーザ情報記憶手段に格納されている前記ユーザの嗜好ジャンル毎の興味度を変更するユーザ情報分析手段と
を備えることを特徴とするサーバ。
【請求項２】
前記ＣＭ番組データは、ひとつの対象を宣伝するためのシリーズを構成する複数のＣＭ番組データからなり、
前記送信手段は、前記ＣＭ番組出力装置に、前記シリーズを構成する複数のＣＭ番組データを送信することを特徴とする請求項１に記載のサーバ。
【請求項３】
ＣＭ番組データをＣＭ番組出力装置に対して配信するために、ユーザの前記ＣＭ番組出力装置と通信ネットワークにより接続され、前記ユーザの嗜好ジャンル毎の興味度を示す嗜好情報を含むユーザ情報を格納するユーザ情報記憶手段と、前記ＣＭ番組データを格納するＣＭ番組情報記憶手段とを備えたサーバにおける広告配信方法であって、
前記ＣＭ番組データに対して、該ＣＭ番組データを視聴するべきユーザを特定するための嗜好ジャンル情報を付与する情報付与ステップと、
前記嗜好ジャンル情報を付与された複数のＣＭ番組データを前記ＣＭ番組情報記憶手段に格納する格納ステップと、
前記ユーザ情報記憶手段に格納された前記嗜好ジャンル毎の興味度のうち、前記興味度が高い嗜好ジャンル情報が付与されたＣＭ番組データを前記ＣＭ番組情報記憶手段から選択して読み出す選択ステップと、
前記読み出されたＣＭ番組データを前記ＣＭ番組出力装置に送信する送信ステップと、  前記ＣＭ番組出力装置から送信される前記ＣＭ番組データの視聴状況情報を受信する受信ステップと、
前記受信した視聴状況情報に基づいて、前記ユーザ情報記憶手段に格納されている前記ユーザの嗜好ジャンル毎の興味度を変更するユーザ情報分析ステップと
を有することを特徴とする広告配信方法。
【請求項４】
前記ＣＭ番組データは、ひとつの対象を宣伝するためのシリーズを構成する複数のＣＭ番組データからなり、
前記送信ステップは、前記ＣＭ番組出力装置に、前記シリーズを構成する複数のＣＭ番組データを送信することを特徴とする請求項３に記載の広告配信方法。
【発明の詳細な説明】
【０００１】
【発明の属する技術分野】
本発明は、個人の嗜好等の条件に適合したＣＭ番組を出力装置に出力するサーバ及びＣＭ番組出力装置、広告配信方法に関するものである。
【０００２】
【従来の技術】
従来、テレビなどで出力されるアナログ放送は、一つの電波には一つの映像しか乗せられず、音声は別の電波で送る必要があった。ところが、現在サービスが開始されているＢＳ（Broadcasting Satellite、放送専用人工衛星）デジタル放送や、ＣＳ（Communications Satellite、汎用通信衛星）デジタル放送などは、一つの電波に複数の映像や音声などを乗せることができ、また、品質を落とさずに情報を圧縮できる。そのため、従来のアナログ放送１チャンネル分の周波数帯で４〜８チャンネルを設定することができる。
【０００３】
このようなデジタル放送は、コンピュータなどを用いて情報をコントロールしやすい。また、デジタル放送の電波を受信するために家庭などに設置される受信機には、インターネット接続機能が備えられ、このインターネット接続機能を用いることで視聴者側から情報を送ることもできる。これにより、画面の一部分で通常の番組を出力し、同画面の他の部分で天気予報を出力するようなデータ放送サービスや、通信販売の番組を見ながら当該番組で紹介された商品を購入するような双方向テレビサービスが可能となる。
【０００４】
【発明が解決しようとする課題】
デジタル放送では、受信機に、インターネット接続機能とハードディスク等を搭載し、当該ハードディスクに随時見たい番組を記録し、好きな時に記録した番組を見るという格納型放送が可能となる。すなわち、ハードディスク内に格納された情報（番組）を瞬時に検索したり、外部からインターネットを経由して番組の録画予約を指示するようなことが可能となる。
【０００５】
従来のテレビ放送は、番組に対し資金を提供するスポンサーがつき、番組出力中の特定の時間枠にそのスポンサーのＣＭ（コマーシャル）番組を出力していた。しかし、上述の格納型放送により、視聴者は、見たい番組を見たい時間に視聴することが可能となるため、番組中の特定の時間枠に挿入されたＣＭ番組を視聴しないですむようになる。従って、スポンサーは、提供する資金に見合う宣伝効果を得られることが少なくなる。
本発明はこのような事情に鑑みてなされたもので、個人の嗜好等の条件に適合したＣＭ番組を出力装置に出力するサーバ及びＣＭ番組出力装置、広告配信方法を提供することを目的とする。
【０００６】
【課題を解決するための手段】
本発明は上記の目的を達成するためになされたもので、ユーザのＣＭ番組出力装置と通信ネットワークにより接続されたサーバであって、前記ユーザの嗜好ジャンル毎の興味度を示す嗜好情報を含むユーザ情報を格納するユーザ情報記憶手段と、ＣＭ番組データに対して、該ＣＭ番組データを視聴するべきユーザを特定するための嗜好ジャンル情報を付与する付与手段と、前記嗜好ジャンル情報を付与された複数のＣＭ番組データを格納するＣＭ番組情報記憶手段と、前記ユーザ情報記憶手段に格納された前記嗜好ジャンル毎の興味度のうち、前記興味度が高い嗜好ジャンル情報が付与されたＣＭ番組データを前記ＣＭ番組情報記憶手段から選択して読み出す選択手段と、前記読み出されたＣＭ番組データを前記ＣＭ番組出力装置に送信する送信手段と、前記ＣＭ番組出力装置から送信される前記ＣＭ番組データの視聴状況情報を受信する受信手段と、前記受信手段が受信した視聴状況情報に基づいて、前記ユーザ情報記憶手段に格納されている前記ユーザの嗜好ジャンル毎の興味度を変更するユーザ情報分析手段とを備えることを特徴とする。
前記ＣＭ番組データは、ひとつの対象を宣伝するためのシリーズを構成する複数のＣＭ番組データからなり、
前記送信手段は、前記ＣＭ番組出力装置に、前記シリーズを構成する複数のＣＭ番組データを送信することを特徴とする。
【０００８】
また、本発明は、前記ＣＭ番組データは、ひとつの対象を宣伝するためのシリーズを構成する複数のＣＭ番組データからなり、前記送信手段は、前記ＣＭ番組出力装置に、前記シリーズを構成する複数のＣＭ番組データを送信することを特徴とする。
【００１１】
また、本発明は、ＣＭ番組データをＣＭ番組出力装置に対して配信するために、ユーザの前記ＣＭ番組出力装置と通信ネットワークにより接続され、前記ユーザの嗜好ジャンル毎の興味度を示す嗜好情報を含むユーザ情報を格納するユーザ情報記憶手段と、前記ＣＭ番組データを格納するＣＭ番組情報記憶手段とを備えたサーバにおける広告配信方法であって、前記ＣＭ番組データに対して、該ＣＭ番組データを視聴するべきユーザを特定するための嗜好ジャンル情報を付与する情報付与ステップと、前記嗜好ジャンル情報を付与された複数のＣＭ番組データを前記ＣＭ番組情報記憶手段に格納する格納ステップと、前記ユーザ情報記憶手段に格納された前記嗜好ジャンル毎の興味度のうち、前記興味度が高い嗜好ジャンル情報が付与されたＣＭ番組データを前記ＣＭ番組情報記憶手段から選択して読み出す選択ステップと、前記読み出されたＣＭ番組データを前記ＣＭ番組出力装置に送信する送信ステップと、前記ＣＭ番組出力装置から送信される前記ＣＭ番組データの視聴状況情報を受信する受信ステップと、前記受信した視聴状況情報に基づいて、前記ユーザ情報記憶手段に格納されている前記ユーザの嗜好ジャンル毎の興味度を変更するユーザ情報分析ステップとを有することを特徴とする。
【００１２】
また、本発明は、前記ＣＭ番組データは、ひとつの対象を宣伝するためのシリーズを構成する複数のＣＭ番組データからなり、前記送信ステップは、前記ＣＭ番組出力装置に、前記シリーズを構成する複数のＣＭ番組データを送信することを特徴とする。
【００１３】
【発明の実施の形態】
以下、図面を参照し、本発明の一実施形態について説明する。
図１は、本実施形態の概要を示す図である。本実施形態は、ユーザの嗜好や居住地、年齢などの条件に合致したＣＭ番組を提示し、当該ユーザの視聴したＣＭ番組に応じて、ＣＭ番組の広告主がユーザに視聴料金を支払うものである。
【００１４】
図１を参照して、本実施形態のシステムを説明する。１は、管理センタのサーバであり、ユーザ情報やＣＭ番組情報等を管理する。２は、出力装置であり、テレビやＡＶアンプ、スピーカ等である。３はユーザのＳＴＢ（Set Top Box、ＣＭ番組出力装置）であり、デジタル放送を受信し、記憶するための受信機である。出力装置２とＳＴＢ３とはケーブル等で接続され、ＳＴＢ３が受信したデジタル放送を、出力装置２に、動画、静止画、音声等として出力することができる。４は広告主であり、ＣＭ番組の放送を希望する企業等である。５は放送局であり、ニュースや映画など一般の番組等をユーザのＳＴＢ３に送信し、視聴した番組や時間に応じて、ユーザに視聴料金を要求する。なお、図中では、広告主４はひとつしか示されていないが、本実施形態では、複数の広告主からのＣＭ番組を放送することが可能である。
【００１５】
図示されていないが、放送局５にはサーバ等の情報機器が備えられ、ＳＴＢ３と放送局５とは、人工衛星（通信衛星）及びインターネットなどの通信ネットワークを介して接続される。また、この放送局５には、これらの動画や静止画、音声などのデータの送信及び各種データの受信を行う送受信装置が設けられる。また、サーバ１とＳＴＢ３とは、インターネットなどの通信ネットワークを介して接続されている。また、図示されていないが、広告主４はパーソナルコンピュータ等の情報機器を所有し、サーバ１と広告主４のパーソナルコンピュータ等はインターネットなどの通信ネットワークで接続される。
【００１６】
管理センタのサーバ１の構成を、図２を参照して説明する。この図において、１１は通信インターフェースである。１２はユーザ情報制御部である。１３はＣＭ番組情報選択部である。１４はＣＭ番組情報管理部である。１５はポイント換算部である。１６は視聴状況通知部である。１８は請求・支払部である。１９はＣＭ番組スケジュール管理部である。２０は履歴集計部である。２１はユーザ情報分析部である。２２は情報付与部である。２３はユーザ情報ＤＢである。２４はＣＭ番組情報ＤＢである。２５はＳＴＢ情報ＤＢである。２６はデータ放送制御部である。各部の機能は、後述する動作のところで説明する。
【００１７】
ＤＢに格納されている情報を説明する。図３は、ユーザ情報ＤＢ２３に格納されているユーザ情報の一例を示す図である。この図に一例を示すように、ユーザ情報ＤＢ２３には、ユーザ毎に、ユーザを一意に識別するユーザＩＤ、氏名、住所、電話番号、性別、生年月日、年齢、嗜好ジャンル（嗜好情報）、視聴履歴等が格納されている。
嗜好ジャンルとは、当該ユーザの嗜好を示した情報（嗜好情報）であり、例えば、自動車、化粧品、映画、ファッション、旅行等の各項目において「大変興味がある」ならば５が、「全く興味がない」ならば０（ゼロ）というように記載され、当該項目に対する関心度合いを示している。また、視聴履歴とは、ユーザの視聴したＣＭ番組の視聴履歴である。
【００１８】
図４は、ＣＭ番組情報ＤＢ２４に格納されているＣＭ番組情報の一例を示す図である。この図に一例を示すように、ＣＭ番組情報ＤＢ２４には、ＣＭ番組を一意に識別するＣＭＩＤ、ＣＭ属性、視聴対象属性、当該ＣＭ番組を出力するためのデータであるＣＭデータ等が格納されている。
ここで、ＣＭ属性とは、当該ＣＭ番組がどのような条件を満たした時に提示されるかを示す情報である。ＣＭ属性は、企業ＩＤ、企業データ、シリーズＩＤ（シリーズ回数情報）、有効期間、連動番組ＩＤというような細かい条件に細分される。
【００１９】
企業ＩＤとは、当該ＣＭ番組で宣伝する商品のスポンサー企業を一意に識別する情報である。企業データとは、スポンサー企業が独自に設定できるデータであり、例えば、スポンサー企業が航空会社であれば、当該航空会社の利用金額に応じて発行されるマイル毎にＣＭ番組を流したい時などに、当該ＣＭ番組が何マイル貯まっている人向けなのか、というような情報が記載されている。
シリーズＩＤとは、当該ＣＭ番組が複数のＣＭ番組の組み合わせから成るシリーズ物である場合などに、そのシリーズ、シリーズ中の回数、出力順序等を一意に識別するための情報である。また、ある商品等を宣伝するシリーズ物のＣＭ番組において、当該商品等に関する情報を複数の段階に分けて示す場合もあり、ここでは、このような段階を深度という。シリーズＩＤは、このようなシリーズ及びシリーズ中の深度も示している。
【００２０】
有効期間とは、当該ＣＭ番組の有効期間を示す情報であり、例えば、何年何月何日まで有効であるという有効年月日、何回視聴されるまで有効かという有効回数、無制限（ＣＭ番組情報ＤＢ２４の残容量が特定の値以下になるまで）などの情報である。連動番組ＩＤとは、当該ＣＭが特定の番組と連動している場合、その連動している番組のＩＤを指定するものである。
【００２１】
また、視聴者対象属性とは、当該ＣＭ番組を提示する視聴者の条件であり、対象年齢、対象居住地、対象嗜好ジャンル、対象時間帯というような細かい条件に細分される。対象年齢とは、当該ＣＭ番組を提示したい年齢を指定した情報であり、全年齢を対象とすることもできる。対象居住地とは、当該ＣＭを提示したい地域を指定した情報であり、複数地域や全地域（全国）を指定することもできる。対象嗜好ジャンルとは、当該ＣＭ番組を出力するユーザの嗜好ジャンルを指定した情報である。この嗜好ジャンルとは、ユーザ情報ＤＢ２３内に格納されているユーザの興味分野を示す嗜好ジャンルを指定するものであり、例えば、旅行という嗜好ジャンルに対し「大変興味がある」ということを示すユーザにのみＣＭ番組を出力する、というように指定する。対象時間帯とは、当該ＣＭ番組を放送する時間帯を指定する情報であり、時間帯を複数指定することもできる。
なお、ここでは、ＣＭ属性及び視聴対象属性をまとめて属性情報ともいう。
【００２２】
図５は、ＳＴＢ情報ＤＢ２５に格納されているＳＴＢ情報の一例を示す図である。この図に一例を示すように、ＳＴＢ情報ＤＢ２５には、ＳＴＢ３を一意に識別するＳＴＢＩＤ、当該ＳＴＢ３に格納したＣＭ番組のＣＭＩＤ等の情報が格納されている。
【００２３】
図６は、ＳＴＢ３の構成を示すブロック図である。この図において、３１は通信インターフェースである。３２はユーザ情報制御部である。３３はＣＭデータ受付部である。３４はＣＭデータ選択部である。３５は出力部である。３７はＩＣ（integrated circuit）カードリーダである。３８はメモリである。３９はデータ放送制御部である。各部の機能は、後述する動作のところで説明する。
【００２４】
次に、図１及び図７を参照して動作を説明する。ここでは、まず、ユーザにとって都合のいい時間にＣＭ番組を視聴するカタログ的な動作をする第１の実施例を説明する。
管理センタは、あらかじめ、顧客に配信するＣＭ番組の作成依頼を広告主４から受け（図１におけるｃ）、広告主４等から提供された動画や静止画などの映像に、サーバ１の情報付与部２２により、上述したＣＭ属性及び視聴対象属性のような属性情報をタグとして付与するなどしてＣＭデータを作成する。このように作成したＣＭデータを、ＣＭＩＤ、ＣＭ属性、視聴対象属性などとともにサーバ１のＣＭ番組情報ＤＢ２４に格納しておく。
【００２５】
例えば、ＳＴＢ３に初めて電源を入れた場合などに、ユーザは、ユーザ情報の登録をする（図１におけるａ、ｂ）。そのために、ユーザは、まず、ＳＴＢ３のＩＣカードリーダ３７に、デジタル放送視聴申し込みをした時などに発行されたＩＣカードを挿入等する。このＩＣカードには、ユーザを一意に識別するユーザＩＤ等が記録されている。ＳＴＢ３のユーザ情報制御部３２は、ＩＣカードリーダ３７を介してＩＣカード内に記録されているユーザＩＤを読み取る。次に、ユーザ情報制御部３２は、ユーザ情報をユーザに入力又は選択させるための画面を、出力部３５を介して出力装置２に出力させる。
【００２６】
ユーザは、出力装置２に出力された画面等をみながら、図示されていないリモコンやキーボードなどを用いて、氏名、住所、電話番号、性別、生年月日、年齢等を入力する。さらに、出力装置２に出力された自動車、旅行、化粧品、ファッション等の各嗜好ジャンルに対する興味の度合い（以下、興味度という）を選択する。ＳＴＢ３のユーザ情報制御部３２は、このように取得したユーザＩＤ、氏名、住所、電話番号、性別、生年月日、年齢、各嗜好ジャンルに対する興味度などからなるユーザ情報を、各ＳＴＢを一意に識別するＳＴＢＩＤと共に、インターネットなどの通信ネットワークを介して管理センタのサーバ１に送信する（図７におけるステップＳ１０）。さらに、メモリ３８又はＩＣカード内にユーザ情報を格納する。なお、ここでは、ＩＣカードには、ユーザＩＤが記憶されている場合について説明したが、ユーザＩＤの他に、申し込み時にユーザの氏名、住所、電話番号、生年月日、年齢などをＩＣカードに予め登録して記憶しておくようにしてもよい。そして、ユーザ情報制御部３２が、ユーザ情報をユーザに入力又は選択させるための画面に、ユーザの氏名、住所等の情報を入力した状態で出力部３５を介して出力装置２に出力するようにしてもよい。これにより、ユーザは、表示内容を確認して、必要に応じて住所などを変更すればよく、ユーザにとって、情報を入力する手間が省ける。また、ＩＣカードにユーザ情報を記憶しておく場合は、このユーザ情報をユーザＩＤに対応付けてサーバ１のユーザ情報ＤＢ２３に記憶しておくようにしてもよい。
【００２７】
ユーザ情報及びＳＴＢＩＤを受信すると（図７におけるステップＳ１１）、サーバ１のユーザ情報制御部１２は、当該ユーザ情報をユーザ情報ＤＢ２３に格納する。また、ＣＭ番組情報選択部１３は、受信したユーザ情報に基づいてユーザの嗜好を分析し、ユーザに配信するＣＭ番組のＣＭデータを複数選択する（図７におけるステップＳ１２）。このとき、ＣＭ番組情報の視聴対象属性と、ユーザ情報に示すユーザの嗜好とが一致するＣＭデータを優先的に選択する。情報付与部２２は、ＣＭ番組情報選択部１３により選択されたＣＭデータに、当該ユーザのユーザＩＤ及びＳＴＢＩＤを付与し、そのＣＭデータを放送局５に納入する（図１におけるｄ）。放送局５へのユーザＩＤ及びＳＴＢＩＤを付与したＣＭデータの納入には、インターネット等の通信ネットワークを介して放送局５のサーバ等に送信してもよく、また、ＣＤ−ＲＯＭ（Compact Disc Read Only Memory）やＤＶＤ（Digital Versatile Disk）などの記録媒体にユーザＩＤ及びＳＴＢＩＤを付与したＣＭデータを記録し、当該記録媒体を放送局５に渡してもよい。
【００２８】
放送局５は、ユーザＩＤ及びＳＴＢＩＤを付加したＣＭデータによるＣＭ番組を、人工衛星を経由して放送する（図１におけるｅ）。各ＳＴＢ３のＣＭデータ受付部３３は、ＣＭ番組を受信し（図７におけるステップＳ１３、ステップＳ１４）、自身のＳＴＢＩＤと一致するＳＴＢＩＤを付与しているＣＭ番組を検出し、当該検出したＣＭ番組のＣＭデータをメモリ３８に格納する（図７におけるステップＳ１５）。この、ＣＭ番組の放送の時間は任意でよいが、例えば、夜中の１２時から１時の間などに行なわれる。
【００２９】
ユーザは、自身の都合のよい時間に、ＣＭ番組を視聴する（図１におけるｆ）。そのために、まず、ＳＴＢのＩＣカードリーダ３７にＩＣカードを挿入し、リモコン等を操作するなどして、格納したＣＭ番組の出力をＳＴＢ３に指示する。ＣＭ放送開始指示を受けると（図７におけるステップＳ１６）、ＳＴＢ３のＣＭデータ選択部３４は、メモリ３８に格納されている複数のＣＭデータから、出力するＣＭ番組のＣＭデータを選択する（図７におけるステップＳ１７）。ここで、ＣＭデータを選択する優先順位は任意でよいが、例えば、ＩＣカード又はＳＴＢ３内に格納されたユーザ情報とＣＭデータの視聴対象属性とを参照し、各嗜好ジャンルにおいて当該ユーザの最も興味のある分野のＣＭデータを優先的に選択する。また例えば、管理会社が航空会社とタイアップして当該ＩＣカードにユーザのマイル情報を格納するようにし、ＣＭ属性の企業データによりマイル毎により出力するＣＭ番組を指定されている場合には、当該属性情報によって定められたＣＭデータを選択する。また、シリーズ物のＣＭ番組を選択した場合、シリーズＩＤで示すＣＭ番組の出力順に従って選択する。出力部３５は、ＣＭデータ選択部３４により選択されたＣＭデータを、ＣＭ番組として出力装置２へ出力する。
【００３０】
ここで、出力したＣＭ番組が、複数のＣＭ番組からなるシリーズ物であった場合、ユーザは、一番初めに出力すると定められたＣＭ番組（以下、第１フェイズとする）を視聴した後（図７におけるステップＳ１８）、そのＣＭ番組の次の深度（以下、第２フェイズとする）のＣＭ番組の視聴を希望するかどうか選択することができる（図７におけるステップＳ１９）。第２フェイズのＣＭ番組の視聴したいと思った場合、ユーザは、リモコンのボタンを押すなどして、第２フェイズのＣＭ番組の出力をＳＴＢ３に要求する。ＳＴＢ３のＣＭデータ選択部３４は、当該ＣＭデータに付与されたシリーズＩＤに基づいて、当該ＣＭ番組と同シリーズの、次の深度のＣＭ番組のＣＭデータをメモリ３８から選択する。出力部３５は、選択されたＣＭデータを、出力装置２に出力する。
【００３１】
このように、そのＣＭ番組の次の深度のＣＭ番組の視聴を希望するかどうかの選択を繰り返すことで、当該ＣＭ番組の最後の深度（以下、最終フェイズとする）まで視聴することができる（図７におけるステップＳ２０、ステップＳ２１）。ＣＭ番組の最終フェイズでは、例えば、当該ＣＭ番組で宣伝した商品を購入したり、商品の資料を請求したり、商品やＣＭ番組に対するアンケートに回答したりすることができる。
【００３２】
商品を購入する場合の例を説明する。ユーザが、リモコン等により商品の購入要求を指示すると、ＳＴＢ３のデータ通信制御部３９は、インターネットなどの通信ネットワークを介して、当該商品の購入要求を管理センタのサーバ１に送信する。サーバ１のデータ放送制御部２６は、商品を購入するための必要事項を入力させる画面を出力させるためのデータをＳＴＢ３に送信する。ＳＴＢ３のデータ通信制御部３９は、受信したデータを出力部３５に出力させる。ユーザは、キーボードやリモコン等を用いて、氏名、住所、電話番号、支払方法等の必要事項を記入する。ＳＴＢ３は、ユーザにより入力された情報をサーバ１に送信する。サーバ１のデータ放送制御部２６は、受信した情報を当該商品の広告主４のパーソナルコンピュータ等に送信する。これにより、商品購入の申し込みが完了する。
商品の資料請求や、アンケート回答も、上述の商品購入と同様の動作が行なわれる。
【００３３】
最終フェイズまでＣＭ番組を視聴したり当該ＣＭ番組の視聴終了を要求するなどしてユーザがある商品に対するＣＭ番組の視聴を終了すると、ＳＴＢ３のＣＭデータ選択部３４は、ユーザのＣＭ視聴履歴と、上述した最終フェイズでのユーザのアクション（商品購入、資料請求、アンケート回答等）等の視聴状況をサーバ１に送信する（図７におけるステップＳ２２、図１におけるｇ）。サーバ１はユーザのＣＭ視聴履歴及び最終フェイズでのアクション等を受信する（図７におけるステップＳ２３）。サーバ１のポイント数換算部１５は、ユーザのＣＭ視聴履歴と、最終フェイズでのアクションによりポイント数を換算する（図７におけるステップＳ２４）。このポイント数の換算は、例えば、ユーザの視聴したＣＭ番組の深度や、最終フェイズでのアクションの有無により、広告主４等が定めた規定にしたがって換算されるものとする。
【００３４】
ＳＴＢ３によりＣＭ視聴履歴及び最終フェイズにおけるアクションを送信された後、ユーザが、他の商品等を宣伝したＣＭ番組の視聴を希望する場合（図７におけるステップＳ２５）、リモコンを操作するなどしてＣＭ番組出力を指示する。ＳＴＢ３のＣＭデータ選択部３４は、メモリ３８に格納しているＣＭデータから、他のＣＭデータを選択する（図７におけるステップＳ１７）。出力部３５は選択されたＣＭデータをＣＭ番組として出力装置２に出力し、上述と同様の動作を繰り返す。
【００３５】
ユーザが、他の商品を宣伝したＣＭ番組の視聴を希望しない場合（図７におけるステップＳ２５）、ＳＴＢ３はＣＭ番組の出力を終了し、サーバ１にＣＭ視聴終了通知を送信する（図７におけるステップＳ２６）。ＣＭ視聴終了通知を受信すると（図７におけるステップＳ２７）、サーバ１のポイント換算部１５は、換算したポイント数をＳＴＢ３に送信する（図７におけるステップＳ２８、図１におけるｈ）。ＳＴＢ３はポイント数を受信し（図７におけるステップＳ２９）、ＳＴＢ３の出力部３５は、受信したポイント数を出力装置２に出力する（図７におけるステップＳ３０、図１におけるｉ）。
【００３６】
なお、上述したＣＭ視聴履歴を送信するタイミングは、ひとつのＣＭ番組を見た後に限られることはなく、すべてのＣＭ番組の視聴を終了したでもよい。また、上述したポイント数を提示するタイミングは、すべてのＣＭ番組の視聴を終了した後に限られたものではなく、例えば、ひとつの商品のＣＭ番組を見た後に提示してもよい。また、例えば、受信したポイント数をメモリ３８等に格納しておき、週ごと、月ごとなど一定の期間内に提示したり、また、リモコン等によりユーザに指示された場合などにポイント数を提示してもよい。
【００３７】
ＣＭ番組の出力を終了した後などに、サーバ１の視聴状況通知部１６は、ユーザＩＤと当該ユーザのＣＭ視聴履歴、アクション等の視聴状況を、広告主５に電子メールなどで通知する（図１におけるｊ）。
このように、ユーザは、予めＳＴＢ３に格納されたＣＭ番組を視聴する。例えば、格納されたポイント数を利用しようと思った時などに、ユーザは、ＳＴＢ３のＩＣリーダ３７にＩＣカードを挿入等し、リモコン等を用いて、視聴料金代行支払いサービスの利用をＳＴＢ３に指示する。ＳＴＢ３のデータ通信制御部３９は、ＩＣカードから読み取ったユーザＩＤを含む視聴料金代行支払いサービス利用要求を放送局５のサーバ等に送信する（図１におけるｋ）。
【００３８】
放送局５のサーバ等は、ユーザＩＤを含む視聴料金代行支払いサービス利用による視聴料金の請求を、インターネット等の通信ネットワークを介して管理センタのサーバ１に送信する（図１におけるｌ）。サーバ１の請求・支払部１８は、受信したユーザＩＤから、ユーザ情報ＤＢ２３を参照し、当該ユーザの格納したポイント数を取得する。次に、広告主４に、ユーザＩＤ及び当該ユーザのポイント数等とともに視聴料金の請求を電子メールなどで送信する（図１におけるｍ）。
【００３９】
広告主４は、ポイント数に応じて視聴料金を管理センタに支払う（図１におけるｎ）。管理センタのサーバ１の請求・支払部１８は、広告主４から支払われた視聴料金を放送局５に支払う処理をする（図１におけるｏ）。放送局５は、本来ユーザが支払うべき視聴料金から、広告主４が管理センタを介して支払った視聴料金を差し引いた金額を、ユーザに請求する（図１におけるｐ）。
【００４０】
次に、第２の実施例の動作を図１及び図８を参照して説明する。ここでは、まず、ユーザが放送局５の放送するデジタル放送の番組を視聴している時に、当該番組に挿入されたＣＭ番組の時間枠に、ユーザに興味のあるＣＭ番組を挿入する動作の実施例を説明する。この実施例は、上述した第１の実施例と共通する部分があるので、異なる部分のみ詳細に説明する。
【００４１】
上述と同様に、管理センタは、あらかじめ、顧客に配信するＣＭ番組の作成依頼を広告主４から受け（図１におけるｃ）、広告主４等から提供された動画や静止画などの映像に、上述したＣＭ属性及び視聴対象属性のような情報をタグとして付与するなどしてＣＭデータを作成する。例えば、ＳＴＢ３に初めて電源を入れた場合などに、ユーザは、ユーザ情報の登録をする（図１におけるａ、ｂ）。ＳＴＢ３のユーザ情報制御部１２は、ユーザ情報を、各ＳＴＢを一意に識別するＳＴＢＩＤと共に、インターネットなどの通信ネットワークを介して管理センタのサーバ１に送信する（図８におけるステップＳ４０）。さらに、メモリ３８又はＩＣカード内にユーザ情報を格納する。
【００４２】
ユーザ情報及びＳＴＢＩＤを受信すると（図８におけるステップＳ４１）、サーバ１のユーザ情報制御部１２は、当該ユーザ情報をユーザ情報ＤＢ２３に格納する。また、ＣＭ番組情報選択部１３は、受信したユーザ情報に基づいてユーザの嗜好を分析し、ユーザに配信するＣＭ番組のＣＭデータを選択する（図８におけるステップＳ４２）。情報付与部２２は、ＣＭ番組情報選択部１３の選択したＣＭデータに、当該ユーザのユーザＩＤ及びＳＴＢＩＤを付与し、そのＣＭデータを放送局５に納入する（図１におけるｄ）。
【００４３】
放送局５は、ユーザＩＤ及びＳＴＢＩＤを付加したＣＭデータによるＣＭ番組を、人工衛星を経由して放送する（図１におけるｅ）。各ＳＴＢ３のＣＭデータ受付部３３は、ＣＭ番組を受信し（図８におけるステップＳ４３、ステップＳ４４）、自身のＳＴＢＩＤと一致するＳＴＢＩＤを付与しているＣＭ番組を選択し、当該選択したＣＭ番組のＣＭデータをメモリ３８に格納する（図８におけるステップＳ４５）。
【００４４】
ユーザは、放送局５から放送されるデジタル放送によるニュースやドラマなど通常の番組を視聴する（図８におけるステップＳ４６）。この番組の本編中には、ＣＭ番組が挿入されており、そのＣＭ番組が挿入されるところには、ＣＭ番組が挿入される旨を示すタグ（ＣＭ番組信号）が付与されている。ＳＴＢ３の出力部３５は、番組出力中に、ＣＭ番組信号を検出すると（図８におけるステップＳ４７）、ＣＭデータ選択部３４にＣＭデータの選択を指示する。ＣＭデータ選択部３４は、メモリ３８に格納されたＣＭデータから、出力するＣＭ番組のＣＭデータを選択する。ここで、ＣＭデータを選択する優先順位は任意でよいが、例えば、番組本編中に、当該番組を一意に識別する連動番組ＩＤが付与されている場合、その連動番組ＩＤと同じＩＤをＣＭ属性として付与されているＣＭデータを優先的に選択する。出力部３５は、ＣＭデータ選択部３４により選択されたＣＭデータを本編番組中のＣＭ番組信号を検出した部分に挿入し（図８におけるステップＳ４８）、出力装置２へ出力する。
【００４５】
ここで、出力したＣＭ番組が、複数の深度のＣＭ番組からなるシリーズ物であった場合、ユーザは、第１フェイズを視聴した後、ＣＭ番組の視聴継続を希望するか選択する（図８におけるステップＳ４９）。ユーザがＣＭ番組視聴継続を希望した場合、ＣＭデータ選択部３４は、第２フェイズのＣＭデータを選択し、出力させる（図８におけるステップＳ５０）。このように、そのＣＭ番組の次の深度のＣＭ番組の視聴を希望するかどうかの選択を繰り返すことで、当該ＣＭ番組の最終フェイズまで視聴することができる（図８におけるステップＳ５１〜ステップＳ５３）。
【００４６】
ユーザがある商品に対するＣＭ番組の視聴を終了すると、ＳＴＢ３のＣＭデータ選択部３４は、視聴状況をサーバ１に送信する（図８におけるステップＳ５４、図１におけるｇ）。サーバ１はユーザの視聴状況を受信する（図８におけるステップＳ５５）。サーバ１のポイント数換算部１５は、ユーザの視聴状況によりポイント数を換算する（図８におけるステップＳ５６）。次に、ポイント換算部１５は、換算したポイント数をＳＴＢ３に送信する（図８におけるステップＳ５７、図１におけるｈ）。ＳＴＢ３はポイント数を受信し（図８におけるステップＳ５８）、ＳＴＢ３の出力部３５は、受信したポイント数を出力装置２に出力する（図８におけるステップＳ５９、図１におけるｉ）。
【００４７】
すなわち、上述した実施例は、番組放映中に、各ユーザに最適なＣＭ番組を動的に挿入する実施例である。例えば、図９に示すように、本来の番組中で挿入されているＣＭ番組が、飲料水のＣＭ番組であったものとする。しかし、ＳＴＢ３のＣＭデータ選択部３４は、そのＣＭ番組の属性情報が当該ユーザのユーザ情報と一致しないものである場合などに、メモリ３８に格納しているＣＭデータから、ユーザに最適なＣＭデータを選択し、選択したＣＭデータを出力させる。これにより、例えば、ユーザが５０〜６０代の女性であった場合高級家具のＣＭ番組を、ユーザが２０〜３０代の男性であった場合自動車のＣＭを出力させる、というようなことが可能となる。また、ＳＴＢ３のＣＭデータ選択部３４が、そのＣＭ番組の属性情報がユーザ情報と一致する場合、メモリ３８に格納されているＣＭデータを出力させず、放送されたＣＭ番組をそのまま出力することもできる。
【００４８】
なお、図１及び図８を参照して説明した実施例では、ユーザがＣＭ番組の視聴継続を希望する場合、本編番組で定められたＣＭ番組の時間枠以上の時間をＣＭ視聴に費やしてしまう場合がある。その場合、出力部３５は、出力装置２の一部分でＣＭ番組を出力し、他の部分で本編番組を出力してもよく、また、本編番組をメモリ３８等に格納しておき、ユーザがＣＭ番組の視聴を終了した後に、格納した本編番組を出力してもよい。
【００４９】
サーバ１の履歴集計部２０は、例えば、毎月一度、上述のように取得したＣＭ番組の視聴履歴を集計する。すなわち、広告主毎及びユーザ毎に、各ＣＭ番組の視聴回数、視聴したＣＭ番組の深度、視聴したＣＭ番組で宣伝した商品を購入した回数、視聴したＣＭ番組で宣伝した商品に対し資料請求した回数、視聴したＣＭ番組でのアンケート回答回数等を集計する。履歴集計部２０は、さらに、各ＣＭ番組毎の全ユーザの最終フェイズ到達率、商品購入率、資料請求率、アンケート回答率等の統計結果を算出してもよい。この集計結果や統計結果を、各広告主４に電子メール等で送信する。このとき、履歴集計部２０は、広告主４には、各ユーザの氏名、住所、電話番号等の個人情報は提供しない。
【００５０】
また、ユーザ情報分析部２１は、例えば、毎月一度、履歴集計部２０により取得された各ユーザの集計結果に基づいて、ユーザ情報ＤＢ２３に格納されているユーザ情報の各嗜好ジャンルの興味度を変更する。例えば、ユーザ情報分析部２１は、あるユーザが自動車のＣＭ番組に対しては特定の値以上の確率でより深度の深いＣＭ番組の視聴を希望しており、さらに、当該ユーザの自動車という嗜好ジャンルに対する興味度が「まあまあ興味がある」であった場合、当該ユーザの自動車の興味度を「大変興味がある」に変更などする。逆に、例えば、あるユーザが旅行のＣＭ番組に対しては特定の値以下の確立でより深度の深いＣＭ番組の視聴を希望せず、さらに、当該ユーザの旅行という嗜好ジャンルに対する興味度が「まあまあ興味がある」であった場合、当該ユーザの旅行の興味度を「ふつう」に変更などする。
【００５１】
また、サーバ１のＣＭ番組スケジュール管理部１９は、ＳＴＢ３に格納するＣＭデータの配信スケジュールを管理する。例えば、放送局５により放送される番組のスケジュールを把握し、放送する番組と連動して出力する連動番組ＩＤを付与されたＣＭ番組がある場合、番組が放送される前に、当該ＣＭ番組のＣＭデータをＳＴＢ３に配信し、格納させておく。
【００５２】
また、ＣＭ番組スケジュール管理部１９は、履歴集計部２０により取得された統計結果を参照し、特定の値以上のユーザにＣＭ番組が視聴された場合、当該ＣＭ番組のほかのパターンのＣＭ番組をＳＴＢ３に格納させるようにする。そのために、ＣＭ番組情報ＤＢ２４に格納されている当該ＣＭ番組のＣＭ番組情報を破棄（消去）し、ほかのパターンのＣＭ番組情報を格納等する。
【００５３】
また、サーバ１のＣＭ番組情報管理部１４は、上述したように、各ＳＴＢ３に格納しているＣＭデータを管理している。例えば、新商品が発売された場合、ＣＭ番組情報管理部１４は、既にＳＴＢ３のメモリ３８に格納されている旧商品のＣＭデータを破棄（消去）する。また、例えば、地域限定販売していた商品が全国販売になった場合、ＣＭ番組情報管理部１４は、当該商品のＣＭ番組情報ＤＢ２４に格納されている当該ＣＭ番組の視聴対象属性の対象居住地を、地域限定から、全国へと変更する。
【００５４】
また、例えば、ＣＭ属性の有効期間で指定された期間や回数を過ぎた場合、ＣＭ番組情報管理部１４は、ＣＭ番組情報ＤＢ２４に格納しているＣＭ番組情報を破棄し、さらに、既にＳＴＢ３のメモリ３８に格納されているＣＭデータを破棄（消去）する。ここで、ＳＴＢ３のメモリ３８に格納されている旧商品のＣＭデータの破棄（消去）とは、例えば、ＣＭ番組情報ＤＢ２４に格納されている当該ＣＭ番組のＣＭ番組情報を破棄（消去）し、ユーザにＣＭデータを送信する時に、新しく送信したＣＭデータを既にあったＣＭデータに上書きさせたり、また例えば、ＳＴＢ情報ＤＢ２５から当該ＣＭデータを格納したＳＴＢ３のＳＴＢＩＤを取得し、当該ＳＴＢ３にＣＭデータの消去を指示することをいう。
【００５５】
なお、上述した実施形態において、ユーザ及びＳＴＢ並びに放送局はひとつしか図示されていないが、本実施形態では、複数のユーザ、複数のＳＴＢ、複数の放送局に対し、ＣＭデータ等を提供し、各ユーザに最適なＣＭ番組を出力することが可能である。
【００５６】
また、上述した実施形態において、例えば、ひとつのＳＴＢ３を家族など複数のユーザで使用する場合、各ユーザごとにＩＣカードを発行し、各ユーザに最適なＣＭ番組を出力してもよい。その場合、各ユーザは、各々別個のユーザＩＤを格納したＩＣカードを所有し、各々のＩＣカードを挿入等して、ユーザ情報の登録をする。ＳＴＢ３には、ＳＴＢＩＤとユーザＩＤとが付与されたＣＭデータが格納さる。ＳＴＢ３のＣＭデータ選択部３４は、各ユーザがＣＭ番組を視聴する時に挿入等したＩＣカード内に格納されているユーザＩＤに基づいて、ＣＭを選択する。このようにひとつのＳＴＢ３を複数のユーザで共有する場合、ポイント数の換算は、各ユーザごとに行なってもよく、ＳＴＢ３ごとに行なってもよい。
【００５７】
また、上述した実施形態では、ＳＴＢ３に格納されるＣＭデータは、放送局５を介して人工衛星から送信されるものとしたが、これに限られることはない。例えば、サーバ１からＳＴＢ３に、インターネットなどの通信ネットワークを介して直接送信してもよく、ＣＤ−ＲＯＭ、ＤＶＤなどの記録媒体にＣＭデータを格納し、当該記録媒体をユーザに郵送等してもよい。
【００５８】
また、上述した実施形態では、サーバ１から広告主４へのユーザの視聴状況の通知、集計結果の通知、ＣＭ視聴料金の請求、ユーザのアクション等は、電子メールにより通知されるものとしたが、これに限られることはなく、郵便、電話、ＦＡＸ、インターネット上のウェブサイトへの提示等でもよい。また、同じく、放送局５からサーバ１への視聴料金の請求、ユーザのアクション等は電子メールにより通知されるものとしたが、これに限られることはなく、郵便、電話、ＦＡＸ、インターネット上のウェブサイトへの提示等でもよい。
【００５９】
また、上述した実施形態では、ユーザＩＤはＩＣカード内に格納されているものとしたが、これに限られるわけではなく、例えば、ユーザがユーザＩＤを入力等したり、磁気カードやＣＤ−ＲＯＭなどの電子メディアに格納したユーザＩＤを読み込ませてもよい。
【００６０】
また、上述した実施形態では、ＳＴＢ３は、商品購入、資料請求、アンケート回答等のアクションを、直接サーバ１に送信されるものとしたが、これに限られたわけではなく、例えば、ＳＴＢ３から放送局５のサーバ等を介してサーバ１に送信してもよく、放送局５以外のサーバ等を介して送信してもよい。
【００６１】
また、上述した実施形態では、ユーザ情報がＳＴＢ３又は電子メディア内に格納され、当該ユーザ情報を参照してＳＴＢ３がＣＭデータを選択するものとしたが、ＳＴＢ３はユーザ情報を参照せず、ランダムに、又はサーバ１に指定された順にＣＭ番組を選択してもよい。
【００６２】
また、上述した実施形態では、デジタル放送においてＣＭ番組を出力するものとしたが、これに限られたわけではなく、例えば、インターネットなどによる動画、静止画を含む画像配信にも適応可能である。
【００６３】
また、上述した実施形態では、ＳＴＢ３が出力装置２とケーブル等により接続され、ＳＴＢ３が格納又は受信した番組を出力装置２に出力するものとしたが、これに限られることはなく、例えば、出力装置２にＳＴＢ３の機能が内包されていてもよい。この場合、ＳＴＢ３の機能が内包された出力装置２をＣＭ番組出力装置という。
【００６４】
また、ユーザ情報ＤＢ２３、ＣＭ番組情報ＤＢ２４、ＳＴＢ情報ＤＢ２５、メモリ３７は、ハードディスク装置や光磁気ディスク装置、フラッシュメモリ等の不揮発性のメモリや、ＣＤ−ＲＯＭ等の読み出しのみが可能な記憶媒体、ＲＡＭ（Random Access Memory）のような揮発性のメモリ、あるいはこれらの組み合わせにより構成されるもとのする。
【００６５】
また、図２及び図６に示す各部は専用のハードウェアにより実現されるものであってもよく、また、この各部はメモリおよびＣＰＵ（中央演算装置）により構成され、各部の機能を実現するためのプログラムをメモリにロードして実行することによりその機能を実現させるものであってもよい。
【００６６】
また、図２及び図６における各部の機能を実現するためのプログラムをコンピュータ読み取り可能な記録媒体に記録して、この記録媒体に記録されたプログラムをコンピュータシステムに読み込ませ、実行することにより実現させてもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
【００６７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態を図面を参照して詳述してきたが、具体的な構成はこの実施形態に限られるものではなく、この発明の要旨を逸脱しない範囲の設計変更等も含まれる。
【００６８】
【発明の効果】
以上説明したように、本発明によるサーバ及びＣＭ番組出力装置によれば、下記の効果を得ることができる。
【００６９】
本発明により、個人の嗜好、居住地、年齢、現在見ている番組、季節、期間等の条件に適したＣＭ番組を出力することができる。
これにより、当該商品に興味のある対象にのみＣＭ番組を提示することが可能となり、ＣＭ番組の宣伝効果が大きくなる。
【００７０】
本発明により、ユーザには、視聴したＣＭ番組に応じて、当該ＣＭ番組の広告主から視聴料金が支払われる。これにより、ユーザにＣＭ番組を視聴させる動機付けを提供することができ、また、視聴するユーザに適したＣＭ番組を提示することができるので、当該ユーザに対する宣伝効果はさらに大きくなる。
【００７１】
本発明により、マーケティングデータを取得することが可能となる。ユーザの嗜好や、ＣＭ番組の宣伝効果などの情報をダイレクトに取得することが可能となる。
【００７２】
本発明により、ＣＭ番組を視聴したユーザが、当該ＣＭ番組で宣伝する商品等に興味をもった場合、当該商品等のより詳細な情報を提供するＣＭ番組や他のバージョンのＣＭ番組を視聴することができる。これにより、ユーザが望んだ時により多くの情報を提供することができ、また、ユーザが当該商品等を購入したい場合や、当該商品の資料請求をしたい場合などにも対応することができる。
【図面の簡単な説明】
【図１】  本発明の、一実施形態のシステム構成を示す図である。
【図２】  同実施形態において、サーバの構成を示すブロック図である。
【図３】  同実施形態において、ユーザ情報ＤＢ内に格納されている情報の一例である。
【図４】  同実施形態において、ＣＭ番組情報ＤＢ内に格納されている情報の一例である。
【図５】  同実施形態において、ＳＴＢ情報ＤＢ内に格納されている情報の一例である。
【図６】  同実施形態において、ＳＴＢの構成を説明するブロック図である。
【図７】  同実施形態において、第１の実施例の動作を説明する図である。
【図８】  同実施形態において、第２の実施例の動作を説明する図である。
【図９】  同実施形態において、第２の実施例を説明する図である。
【符号の説明】
１  サーバ                              ２  出力装置
３  ＳＴＢ                              ４  広告主
５  放送局                              １１  通信インターフェース
１２  ユーザ情報制御部                  １３  ＣＭ番組情報選択部
１４  ＣＭ番組情報管理部                １５  ポイント数換算部
１６  視聴状況通知部                    １８  請求・支払部
１９  ＣＭ番組スケジュール管理部        ２０  履歴集計部
２１  ユーザ情報分析部                  ２２  情報付与部
２３  ユーザ情報ＤＢ                    ２４  ＣＭ番組情報ＤＢ
２５  ＳＴＢ情報ＤＢ                    ２６  データ放送制御部
３１  通信インターフェース              ３２  ユーザ情報制御部
３３  ＣＭデータ受付部                  ３４  ＣＭデータ選択部
３５  出力部                            ３７  ＩＣカードリーダ
３８  メモリ                            ３９  データ通信制御部
【図１】
0004123805.tif 000002
【図２】
0004123805.tif 000003
【図３】
0004123805.tif 000004
【図４】
0004123805.tif 000005
【図５】
0004123805.tif 000006
【図６】
0004123805.tif 000007
【図７】
0004123805.tif 000008
【図８】
0004123805.tif 000009
【図９】
0004123805.tif 000010